(57)【特許請求の範囲】
【請求項１】
扉の下部に設置されるケース体に磁石を内蔵した戸当り本体と、床面に設置される台座に磁性体からなる係止プレートが上下方向に揺動可能に配置された係止具とからなる戸当りであって、下端に所定長さの横方向へ延びる係着部を連設した上下方向へ延びる所定長さの支持部を有する施錠部材が前記支持部を軸として前記ケース体の底部に所定の角度にわたって水平方向に往復回動可能に装着されているとともに前記係止プレートには一方の側縁の所定位置に係止凹部が形成されており、前記ケース体に内蔵した磁石に吸着している係止状態において前記施錠部材の支持部を前方に回動させる操作により前記係着部を前記係止プレートの係止凹部に係着させて前記係止プレートと前記ケース体を施錠状態とし、前記施錠部材の支持部を扉方向へ回動させる操作により前記係着部を前記係止プレートの係止凹部から逸脱させて前記係止プレートと前記ケース体とを解錠状態とすることを特徴とする戸当り。
【請求項２】
前記施錠部材が前記係着部の先端に所定の長さに亘って上方へ延設する操作部が連設されていることを特徴とする請求項１記載の戸当り。
【請求項３】
前記施錠部材が前記係着部の先端に所定の長さに亘って上方へ延設するとともに先端に前記係着部と支持部と同形で上下方向に対称とした操作部を連設したほぼコ形状を呈し、前記操作部の先端を前記ケース体の頂部に前記支持部と同部に設置したことを特徴とする請求項１記載の戸当り。
【請求項４】
前記戸当り本体に前記操作部の保持部が形成されていることを特徴とする請求項２または３記載の戸当り。
【請求項５】
前記施錠部材が前記ケース体の横方向の中央位置に部着されているとともに、前記係止プレートの両側縁の所定位置に係止凹部がそれぞれ形成されていることを特徴とする請求項１，２，３または４に記載の戸当り。
【請求項６】
前記施錠部材の少なくとも係着部が磁性体であることを特徴とする請求項１，２，３，４または５に記載の戸当り。
【請求項７】
前記ケース体が扉への取付部と前記取付部に被せるカバー体とからなることを特徴とする請求項１，２，３，４，５または６に記載の戸当り。
【発明の詳細な説明】
【技術分野】
【０００１】
本発明は、開いた扉を所定の開放位置に解除可能に保持することが可能な戸当りに関するものである。
【背景技術】
【０００２】
従来から開いた扉を所定の開放位置に解除可能に保持することが可能な戸当りとして、扉の下部に設置される磁石に、床面に設置される台座に揺動可能に配置された磁性体からなる係止プレートを吸着させることにより開いた扉を所定の開放位置に解除可能に保持することが可能な戸当りが知られている（特開平１０−１１５１３９号公報、特開平１１−２８７０６２号公報など）。
【０００３】
前記公報に提示されている戸当りは、扉を所定の開放位置に開くだけで仮止めされるとともに扉を磁石の吸着力に抗して閉じ方向に移動させるだけの簡単な操作で所定の開放位置に固定することができ、きわめて便利である。
【０００４】
ところが、これらの公報に提示されている戸当りは磁石の吸着力により仮止め状態で扉を床面に固定するものであり、例えば手をついたり、強風が当たったときなどには扉を所定の開放位置に保持させていたいにも拘わらず固定状態が解除してしまうという問題があった。
【０００５】
そこで、例えば特開２００４−１９０４８１号公報、特開２００４−２０４４５７号公報、特開２００４−２７５５２号公報、特開２００５−９１５１号公報などに提示されているように、前記戸当りにおいて、係止プレートが磁石に吸着されたときに、外部からの操作で、前記係止プレートの施錠および解錠を行なう施錠機構を備えた戸当りが提示されている。
【０００６】
しかしながら、前記公報に提示されている戸当りは、前記施錠機構が複雑な構成を有するものが殆どであって、製造が困難であったり、廉価に提供することができず、また、耐久性の面でも問題がある。
【先行技術文献】
【特許文献】
【０００７】
【特許文献１】特開平１０−１１５１３９号公報
【特許文献２】特開平１１−２８７０６２号公報
【特許文献３】特開２００４−１９０４８１号公報
【特許文献４】特開２００４−２０４４５７号公報
【特許文献５】特開２００４−２７５５２号公報
【特許文献６】特開２００５−９１５１号公報
【発明の概要】
【発明が解決しようとする課題】
【０００８】
本発明は、前記係止プレートが磁石に吸着されたときに、外部からの操作で、前記係止プレートの施錠および解錠を行なう施錠機構を備えた戸当りにおいて、前記施錠機構が複雑でなく、製造も容易で、多量生産に適したものを廉価に提供することを課題とする。
【課題を解決するための手段】
【０００９】
前記課題を解決するためになされた本発明である戸当りは、扉の下部に設置されるケース体に磁石を内蔵した戸当り本体と、床面に設置される台座に磁性体からなる係止プレートが上下方向に揺動可能に配置された係止具とからなる戸当りであって、下端に所定長さの横方向へ延びる係着部を連設した上下方向へ延びる所定長さの支持部を有する施錠部材が前記支持部を軸として前記ケース体の底部に所定の角度にわたって水平方向に往復回動可能に装着されているとともに前記係止プレートには一方の側縁の所定位置に係止凹部が形成されており、前記ケース体に内蔵した磁石に吸着している係止状態において前記施錠部材の支持部を前方に回動させる操作により前記係着部を前記係止プレートの係止凹部に係着させて前記係止プレートと前記ケース体を施錠状態とし、前記施錠部材の支持部を扉方向へ回動させる操作により前記係着部を前記係止プレートの係止凹部から逸脱させて前記係止プレートと前記ケース体とを解錠状態とする。
【００１０】
また、本発明において、前記施錠部材が前記係着部の先端に所定の長さに亘って上方へ延設する操作部が連設されている場合、前記施錠部材が前記係着部の先端に所定の長さに亘って上方へ延設するとともに先端に前記係着部と支持部と同形で上下方向に対称とした操作部を連設したほぼコ形状を呈し、前記操作部の先端を前記ケース体の頂部に前記支持部と同部に設置した場合には、操作性および構造上の安定性が向上する。
【００１１】
更に、前記戸当り本体に前記操作部の保持部が形成されている場合には、施錠部材の非使用時に施錠部材をケース体に保持しておくことにより、仮り止めの邪魔にならず、見栄えもよい。
【００１２】
加えて、前記施錠部が前記ケース体の横方向の中央位置に部着されているとともに、前記係止プレートの両側縁の所定位置に係止凹部がそれぞれ形成されている場合には扉の開閉方向や施錠の操作方向に対応可能であり、前記施錠部材の少なくとも係着部が磁性体である場合には施錠時に施錠部材の係着部を係止プレートの凹部に挿入して係着するだけでケース体に備えた磁石の磁力によって施錠部材が係止プレートに吸着されて強固に固定される。
【発明の効果】
【００１３】
本発明によれば、施錠部材がきわめて簡単であり、更に、操作性が良く、多量生産にも適しているとともに廉価に提供することができる。
【図面の簡単な説明】
【００１４】
【図１】本発明の好ましい実施の形態の解錠状態を示す斜視図。
【図２】図１に示した実施の形態の施錠状態を示す斜視図。
【図３】図１に示した実施の形態の作用を示す側面図。
【図４】本発明の異なる実施の形態の解錠状態を示す斜視図。
【図５】図４に示した実施の形態の施錠状態を示す斜視図。
【図６】本発明の異なる実施の形態の解錠状態を示す斜視図。
【図７】本発明の異なる実施の形態の解錠状態を示す斜視図。
【図８】本発明の異なる実施の形態の解錠状態を示す斜視図。
【図９】図８に示した実施の形態における戸当り本体の背面図。
【図１０】図８に示した実施の形態における戸当り本体の分解斜視図。
【発明を実施するための形態】
【００１５】
図１乃至図３は本発明の好ましい実施の形態を示すものであり、戸当り１は、例えば開き戸における扉２の引き寄せ側の側面２１における下部に設置される戸当り本体３と床面４に設置される係止具５から構成される。
【００１６】
そして、戸当り本体３は例えば適宜硬質の合成樹脂や金属などにより成型されており、平板状の取付部３１に少なくとも底面に磁力が生じるように磁石３２を内蔵するための膨出部３３を突出させたケース体３６に施錠部材６が付設されている。
【００１７】
この施錠部材６は本実施の形態では全体が適宜太さの線材を屈曲して形成されており、下端に所定長さの横方向へ延びる係着部６２を連設した所定長さの支持部６１と、前記係着部６２の先端に所定の長さに亘って上方へ延設するとともに先端に前記係着部６２と支持部６１と同形で上下方向に対称とした操作部６３を連設したほぼコ形状で、操作部６３の下向きの先端と支持部６１とが一体に形成されている。
【００１８】
尚、本実施の形態では施錠部材６は、ケース体３６の取付部３１と膨出部３３の側面との境に一体に膨出された装着部３４の頂面３４１と底面３４２とに操作部６３の下向きの先端と支持部６２とを所定の開度で往復回動可能に差し込み装着されている。
【００１９】
尚、本実施の形態では施錠部材６が線材を屈曲して形成したが、これに限らず例えば型材などにより或いは板材を打ち抜くことなどにより形成することも可能であり、また、素材も剛性を有すれば合成樹脂など他の材質を用いても良く、この場合に少なくとも係着部が磁性体であれば更に好ましい。
【００２０】
また、係着部に磁性体を付与する手段として、係着部自体を磁性体により形成する手段、係着部は非磁性体で形成して磁性体を付設し、或いは埋設するなどの手段を採ることができる。
【００２１】
加えて、施錠部材６は、操作部６３の下向きの先端または支持部６１の装置部３４に例えばコイルばねのような付勢部材を装着することにより（図示せず）不使用時には常時所定の待避位置に復帰させることが可能であり収納性並びに操作性の向上を図ることも可能である。
【００２２】
一方、床面４に設置される前記係止具５は、床面４に固着される台座５１に磁性体からなる係止プレート５２が一端を部着して上下方向に揺動可能に配置されており、特に、係止プレート５２における一方の側縁５３の所定位置に係止凹部５４が形成されている。
【００２３】
前記本実施の形態である戸当り１は、図３に示すように、扉２の引き寄せ側の側面２１における下部に設置され、係止具５が床面４の扉２の開放位置の下方に配置されるように設置される。
【００２４】
そして、図３（ａ）に示すように、扉２を開放して所定の開放位置、即ち、係止具５の設置位置に近づくと、図３（ｂ）に示すように、従来のこの種の戸当りと同様に、戸当り本体３の下方に内蔵した磁石３２の磁力により係止具５の係止プレート５２が上方に揺動して吸着されるので、戸当り１が磁力により固着されて仮り止め状態になる。
【００２５】
従って、扉２は磁石３２の磁力により床面４に固定されるので開放した状態に保つことができる。また、扉２を閉じる場合には、前記磁力による吸着力に抗して扉２を閉じれば自動的に戸当り本体３と係止具５との係着が解除されて扉２が閉じられ係止具５の係止プレート５２が自重で下方へと揺動して元の平坦な状態に復帰する。
【００２６】
尚、前述のように扉を磁力により開放位置に仮止めして使用する場合には施錠部材６は取付部３１側に回動させておくことにより、開放時に戸当り本体３が磁石３２と係止具５の係止プレート５２との吸着に邪魔になることがない。
【００２７】
また、前記図３（ｂ）に示した扉２の開放状態において、扉２は単に磁石３２の吸引力だけで開放位置に保持されているものであり、例えば誤って扉２に手を触れたり風などが扉２に当たった場合にも扉２を開放状態に確実に保持させることが必要な場合には、前記 図３（ｂ）に示した扉２の開放状態、即ち、係止具５の係止プレート５２がケース体３６に内蔵した磁石３２に吸着している係止状態において、施錠部材６の支持部６１を前方に回動させる操作により係着部６２を係止プレート５２の係止凹部５４に係着させて係止プレート５２とケース体３６とを施錠状態とする。
【００２８】
この状態では係止具５が磁石３２の吸着力に加えて施錠部材６による機械的な係止力により固着されるので扉２に所定の開放位置に確実に固定されることになる。
【００２９】
この固定状態を解除して扉を閉じるには、施錠部材６の支持部６１を前記施錠時とは逆方向（扉２方向）へ回動させる操作により係着部６２を係止プレート５２の係止凹部５４から逸脱させて係止プレート５２とケース体３６とを解錠状態とするので、前記磁石３２による保持状態を解除すればよい。
【００３０】
以上のように本実施の形態における施錠部材６は、きわめて簡単な操作により施開錠を行うことができる。
【００３１】
図４と図５は本発明の異なる実施の形態についての解錠状態および施錠状態を示すものであり、本実施の形態は、全体の構成ならびに使用方法、更に、作用・効果は前記図１乃至図３に示した実施の形態とほぼ同様であり、全体についての詳細な説明については省略する。
【００３２】
本実施の形態では施錠部材６が戸当り本体３の中心に部着されているとともに左右に取付部３１に沿ってほぼ１８０度にわたって往復回動が可能であり、また、係止具５の係止プレート５２の両側縁５３，５３に施錠部材６の係着部６２が係着する係止凹部５４，５４が対称位置にそれぞれ形成されている。
【００３３】
従って、１つの製品であっても施錠部材６を係着する係止凹部５４，５４の一方を選択することにより左右何れの方向に開放方向を有する扉についても適用することができる。
【００３４】
更に、本実施の形態では戸当り本体３の取付部３１に施錠部材６の操作部６３部分を圧接、保持する保持部３５が形成されているので施錠部材６を不使用時に保持しておくことができる。
【００３５】
更にまた、図６および図７は本発明の更に異なる実施の形態であり、施錠部材６を支持部６１、係着部６２および係着部６２の先端に所定の長さに亘って上方へ延設する操作部６３を連設したもの、図７に示した実施の形態は、施錠部材６を支持部６１と操作部を兼ねる係着部６２とで構成したものであり、更に簡略化することができる。
【００３６】
加えて、図８乃至図１０は本発明の戸当り本体３についての異なる実施の形態であって、戸当り本体３を扉への取付部３７とそのカバー体３９と施錠部材６とから構成される。
【００３７】
本実施の形態によれば、戸当り本体３を形成するカバー体３９が、扉への取付部３７とそのカバー体３９とから構成されることから、取付部３７に形成した取付孔７，７に螺着される止めねじ８，８がカバー体３８により隠されるので見栄えがよいばかりか左右方向に取付部分が突出しないのでコンパクトである。
【００３８】
更に、詳細に説明すると、取付部３７とそのカバー体３９とは嵌め込み式であり、取付部３７の頂面と底面に形成された差し込み溝３７ａ，３７ｂとカバー体３９に形成した差し込み溝３６ａ，３６ｂとに施錠部材６の上下端に形成した支持部６１，６４を差し込んで軸着している。
【００３９】
また、前記取付部３７には底面に磁石３２の取付穴３８ｂを形成した支持台３８ａが形成されている。
【００４０】
尚、本実施の形態の使用方法などは前記実施の形態とほぼ同様である。
【符号の説明】
【００４１】
１ 戸当り、２ 扉、３ 戸当り本体、４ 床面、５ 係止具、６ 施錠部材、３１  取付部、３２ 磁石、３５ 保持部、３６  ケース体、３９ カバー体、５１ 台座、５２ 係止プレート、５３ 側縁、５４ 係止凹部、６１ 支持部、６２ 係着部、６３ 操作部
【図１】
0005411682.tif 000002
【図２】
0005411682.tif 000003
【図３】
0005411682.tif 000004
【図４】
0005411682.tif 000005
【図５】
0005411682.tif 000006
【図６】
0005411682.tif 000007
【図７】
0005411682.tif 000008
【図８】
0005411682.tif 000009
【図９】
0005411682.tif 000010
【図１０】
0005411682.tif 000011